(57)【要約】【課題】装置の大型化・高価格化を抑制し、入力信号の周波数算出精度を向上できるチャネライズド受信装置を提供する。【解決手段】中心周波数（中心ｆ）が異なるバンドパスフィルタ（ＢＰＦ）で構成した粗測用フィルタバンク１と、これを通過した入力信号ｆを粗測する粗測系ｆ検出回路２と、入力信号と発振器７が発振する信号とを混合して中間ｆ信号を生成するミキサ６と、粗測用フィルタバンク１を構成するＢＰＦの２個分のＢＰＦの通過帯域を有すると共に、中心ｆが異なり、かつ粗測用フィルタバンク１を構成するＢＰＦより小さい通過帯域を有したＢＰＦで構成され、ミキサ６で生成された信号が入力される精測用フィルタバンク３と、これに入力される信号のｆを精測する精測系ｆ検出回路４と、粗測された粗測ｆと精測された精測ｆに基づいて入力信号のｆを算出する周波数算出回路５を備える。【選択図】図１
2006180325.tif 000002
【特許請求の範囲】
【請求項１】
中心周波数が互いに異なる複数のバンドパスフィルタで構成され、受信する高周波の入力信号を通過させる粗測用フィルタバンクと、
上記粗測用フィルタバンクの複数のバンドパスフィルタをそれぞれ通過した上記入力信号のレベル差情報に基づいて、受信した入力信号の周波数を粗測検出する粗測系周波数検出回路と、
受信する高周波の入力信号とローカル発振器が発振する所定周波数の信号とを混合して中間周波の信号を生成するミキサと、
上記粗測用フィルタバンクを構成する複数のバンドパスフィルタのうちの連続するＮ個（粗測用フィルタバンクを構成するバンドパスフィルタの個数＞Ｎ≧２）分のバンドパスフィルタの通過帯域幅を有すると共に、中心周波数が互いに異なり、かつ、上記粗測用フィルタバンクを構成するバンドパスフィルタの通過帯域幅より小さい通過帯域幅を有する複数のバンドパスフィルタで構成され、上記ミキサで生成された中間周波の信号が入力される精測用フィルタバンクと、
上記精測用フィルタバンクの複数のバンドパスフィルタをそれぞれ通過した上記中間周波の信号のレベル差情報に基づいて、上記精測用フィルタバンクに入力された中間周波の信号の周波数を精測検出する精測系周波数検出回路と、
上記粗測系周波数検出回路が検出した高周波の入力信号の粗測周波数データと上記精測系周波数検出回路が検出した中間周波の信号の精測周波数データに基づいて、受信した入力信号の周波数を算出する周波数算出回路とを備えたことを特徴とするチャネライズド受信装置。
【請求項２】
中心周波数が互いに異なる複数のバンドパスフィルタで構成され、受信する高周波の入力信号を通過させる粗測用フィルタバンクと、
上記粗測用フィルタバンクの複数のバンドパスフィルタをそれぞれ通過した上記入力信号のレベル差情報に基づいて、受信した入力信号の周波数を粗測検出する粗測系周波数検出回路と、
上記粗測用フィルタバンクを構成する複数のバンドパスフィルタのうちの連続するＮ個（粗測用フィルタバンクを構成するバンドパスフィルタの個数＞Ｎ≧２）分のバンドパスフィルタの通過帯域幅を有すると共に、中心周波数が互いに異なり、かつ、上記粗測用フィルタバンクを構成するバンドパスフィルタの通過帯域幅より小さい通過帯域幅を有する複数のバンドパスフィルタで構成され、上記高周波の入力信号が入力される精測用フィルタバンクと、
上記精測用フィルタバンクの複数のバンドパスフィルタをそれぞれ通過した入力信号のレベル差情報に基づいて、上記精測用フィルタバンクに入力された入力信号の周波数を精測検出する精測系周波数検出回路と、
上記粗測系周波数検出回路が検出した高周波の入力信号の粗測周波数データと上記精測系周波数検出回路が検出した精測周波数データに基づいて、受信した入力信号の周波数を算出する周波数算出回路とを備え、
上記精測用フィルタバンクは、上記周波数算出回路によって、その通過帯域の中心周波数が上記粗測系周波数検出回路で粗測検出される粗測周波数になるように制御されていることを特徴とするチャネライズド受信装置。
【発明の詳細な説明】
【技術分野】
【０００１】
この発明は、レーダ信号などの周波数を分析する受信装置に係わり、特に周波数が近接した狭帯域のバンドパスフィルタを多数並列に並べて、受信機のＲＦ周波数覆域を広げたチャネライズト方式の受信装置に関する。
【背景技術】
【０００２】
図４は、例えば、特開２００２−１５２０７２号公報に記載されている従来のチャネライズト方式の受信装置の構成を概念的に示したブロック図である。
図において、１０１は通過帯域が互いに異なる多数のバンドパスフィルタが並列に配置されたフィルタバンクであり、ＲＦ周波数帯域の高周波信号が入力される。
１０２はフィルタバンク１０１の複数のバンドパスフィルタを通過した信号のレベル情報（レベル差）から入力信号の周波数を算出する周波数算出回路である。
なお、特開２００２−１５２０７２号公報には、例えば、入力信号のパルス振幅値を検出するパルス振幅値安定検出回路を備え、パルス振幅値が安定したことを検出した後に、入力信号の周波数算出を行うことが記載されている。
【０００３】
図５は、周波数算出回路１０２の動作を説明するための図である。
図において、ｆｎは一番高いレベルの入力があったバンドパスフィルタの中心周波数、△ｆは一番高いレベルの入力があったバンドパスフィルタの中心周波数ｆｎからのずれ、△Ｌは一番高いレベルの入力があったバンドパスフィルタの両隣のバンドパスフィルタをそれぞれ通過した入力信号のレベル差である。
このとき、入力信号の周波数ｆは、次の式で表される。
ｆ＝ｆｎ＋△ｆ
なお、△ｆは、△Ｌ（一番高いレベルの入力信号があったバンドパスフィルタの両側に隣接するバンドパスフィルタを通過した入力信号のレベル差）を測定すれば求めることができる。
【０００４】
このように、従来のチャネライズド受信装置では、一番高いレベルの入力があったバンドパスフィルタの中心周波数ｆｎからのずれ△ｆを、一番高いレベルの入力があったバンドパスフィルタの両隣のバンドパスフィルタを通過した入力信号のレベル差である△Ｌを測定して求めているので、周波数算出精度はフィルタバンク１０１を構成する複数のバンドパスフィルタの中心周波数の間隔に左右される。
【０００５】
図６は、従来のチャネライズド方式の受信装置において、周波数算出精度の向上を図る方法とその問題点を説明するための図である。
周波数算出精度を向上するためには、図に示すように、フィルタバンク１０１を構成するバンドパスフィルタの中心周波数の間隔を、受信する帯域幅全域において狭くする必要がある。
なお、図において、１、２、３、・・・ｎ−２、ｎ−１、ｎは、フィルタバンク１０１を構成するバンドパスフィルタであり、これらのバンドパスフィルタの中心周波数は、隣接するバンドパスフィルタの中心周波数と所定の間隔を有している。
受信する帯域幅全域においてフィルタバンク１０１を構成するバンドパスフィルタの中心周波数の間隔を狭くするためには、図６に示すように、バンドパスフィルタ１とバンドパフィルタ２の間、バンドパスフィルタ２とバンドパフィルタ３の間、・・・・バンドパスフィルタｎ−１とバンドパスフィルタｎの間に、更に、複数のバンドパスフィルタを設けなければならず、非常に多数個のバンドパスフィルタが必要となる。
【特許文献１】特開２００２−１５２０７２号公報（図１、段落０００７）
【発明の開示】
【発明が解決しようとする課題】
【０００６】
フィルタバンクを構成するバンドパスフィルタの個数を増やして、隣接するバンドパスフィルタの中心周波数の間隔を狭くすると、周波数算出の精度は向上できるが、フィルタバンクのサイズが大きくなるため、受信装置が大型になると共に、高価格になる。
【０００７】
この発明は、このような問題点を解決するためになされたものであり、装置の大型化・高価格化を抑制しながら、受信する信号の周波数算出精度を向上できるチャネライズド受信装置を提供することを目的とする。
【課題を解決するための手段】
【０００８】
この発明に係るチャネライズド受信装置は、中心周波数が互いに異なる複数のバンドパスフィルタで構成され、受信する高周波の入力信号を通過させる粗測用フィルタバンクと、上記粗測用フィルタバンクの複数のバンドパスフィルタをそれぞれ通過した上記入力信号のレベル差情報に基づいて、受信した入力信号の周波数を粗測検出する粗測系周波数検出回路と、受信する高周波の入力信号とローカル発振器が発振する所定周波数の信号とを混合して中間周波の信号を生成するミキサと、上記粗測用フィルタバンクを構成する複数のバンドパスフィルタのうちの連続するＮ個（粗測用フィルタバンクを構成するバンドパスフィルタの個数＞Ｎ≧２）分のバンドパスフィルタの通過帯域幅を有すると共に、中心周波数が互いに異なり、かつ、上記粗測用フィルタバンクを構成するバンドパスフィルタの通過帯域幅より小さい通過帯域幅を有する複数のバンドパスフィルタで構成され、上記ミキサで生成された中間周波の信号が入力される精測用フィルタバンクと、
上記精測用フィルタバンクの複数のバンドパスフィルタをそれぞれ通過した上記中間周波の信号のレベル差情報に基づいて、上記精測用フィルタバンクに入力された中間周波の信号の周波数を精測検出する精測系周波数検出回路と、上記粗測系周波数検出回路が検出した高周波の入力信号の粗測周波数データと上記精測系周波数検出回路が検出した中間周波の信号の精測周波数データに基づいて、受信した入力信号の周波数を算出する周波数算出回路とを備えたものである。
【０００９】
また、この発明に係るチャネライズド受信装置は、中心周波数が互いに異なる複数のバンドパスフィルタで構成され、受信する高周波の入力信号を通過させる粗測用フィルタバンクと、上記粗測用フィルタバンクの複数のバンドパスフィルタをそれぞれ通過した上記入力信号のレベル差情報に基づいて、受信した入力信号の周波数を粗測検出する粗測系周波数検出回路と、上記粗測用フィルタバンクを構成する複数のバンドパスフィルタのうちの連続するＮ個（粗測用フィルタバンクを構成するバンドパスフィルタの個数＞Ｎ≧２）分のバンドパスフィルタの通過帯域幅を有すると共に、中心周波数が互いに異なり、かつ、上記粗測用フィルタバンクを構成するバンドパスフィルタの通過帯域幅より小さい通過帯域幅を有する複数のバンドパスフィルタで構成され、上記高周波の入力信号が入力される精測用フィルタバンクと、上記精測用フィルタバンクの複数のバンドパスフィルタをそれぞれ通過した入力信号のレベル差情報に基づいて、上記精測用フィルタバンクに入力された入力信号の周波数を精測検出する精測系周波数検出回路と、上記粗測系周波数検出回路が検出した高周波の入力信号の粗測周波数データと上記精測系周波数検出回路が検出した精測周波数データに基づいて、受信した入力信号の周波数を算出する周波数算出回路とを備え、上記精測用フィルタバンクは、上記周波数算出回路によって、その通過帯域の中心周波数が上記粗測系周波数検出回路で粗測検出される粗測周波数になるように制御されているものである。
【発明の効果】
【００１０】
この発明によれば、精測用フィルタバンクは、粗測用フィルタバンクを構成する複数のバンドパスフィルタのうちの連続するＮ個（粗測用フィルタバンクを構成するバンドパスフィルタの個数＞Ｎ≧２）分のバンドパスフィルタの通過帯域幅を有すると共に、中心周波数が互いに異なり、かつ、粗測用フィルタバンクを構成するバンドパスフィルタの通過帯域幅より小さい通過帯域幅を有する複数のバンドパスフィルタで構成され、高周波の入力信号が入力される精測用フィルタバンク粗測用フィルタバンクを構成するバンドパスフィルタＮ個（粗測用フィルタバンクを構成するバンドパスフィルタの個数＞Ｎ≧２）分だけの通過帯域幅を有すると共に、中心周波数が互いに異なり、かつ、粗測用フィルタバンクを構成するバンドパスフィルタの通過帯域幅より小さい通過帯域幅を有する複数のバンドパスフィルタで構成されているので、従来のように受信する高周波の入力信号の全帯域にわたって通過帯域幅の小さいバンドパスフィルタを多数個設ける必要がなく、装置の大型化・高価格化を抑制しながら、受信する信号の周波数算出精度を向上できるチャネライズド受信装置を提供できる。
【００１１】
さらに、この発明によれば、精測用フィルタバンクは、粗測用フィルタバンクを構成する複数のバンドパスフィルタのうちの連続するＮ個（粗測用フィルタバンクを構成するバンドパスフィルタの個数＞Ｎ≧２）分のバンドパスフィルタの通過帯域幅を有すると共に、中心周波数が互いに異なり、かつ、上記粗測用フィルタバンクを構成するバンドパスフィルタの通過帯域幅より小さい通過帯域幅を有する複数のバンドパスフィルタで構成されているので、従来のように受信する高周波の入力信号の全帯域にわたって通過帯域幅の小さいバンドパスフィルタを多数個設ける必要がなく、装置の大型化・高価格化を抑制しながら、受信する信号の周波数算出精度を向上できると共に、更に、周波数算出回路によって精測用フィルタバンクの通過帯域の中心周波数が粗測系周波数検出回路で粗測検出される粗測周波数になるように制御されているので、入力信号の周波数が変化しても、常に最適な状態で受信する信号の周波数を精度よく算出できる。
【発明を実施するための最良の形態】
【００１２】
以下、図面に基づいて、本発明の一実施の形態について説明する。
なお、各図間において、同一符合は同一あるいは相当のものであることを表す。
実施例の形態１．
図1は、この発明の実施の形態1によるチャネライズド受信装置の構成を示すブロック図である。
図において、１は、例えば、ＲＦ周波数帯域の高周波信号が入力される粗測用フィルタバンクであり、この粗測用フィルタバンク１は受信する高周波入力信号の全帯域をカバーするように、中心周波数が互いに異なり、中心周波数の間隔が一定の複数個のバンドパスフィルタが並列配置されて構成されている。
図１の例では、粗測用フィルタバンク１は、例えばバンドパスフィルタ１〜バンドパスフィルタ５の５個のバンドパスフィルタで構成されたものが示されている。
【００１３】
２は粗測系周波数検出回路であり、粗測用フィルタバンク１を構成する複数のバンドパスフィルタをそれぞれ通過した入力信号のレベル差情報に基づいて、受信した入力信号の周波数を粗測検出する。
５は周波数算出回路であり、粗測系周波数検出回路２が検出した入力信号の粗測周波数と、後述する精測系周波数算出回路４が検出した精測した精測周波数が入力され、入力信号の周波数を算出する周波数算出回路である。
６はミキサ、７はローカル発振器（単に、発振器と略す）であり、ミキサ６は高周波の入力信号と発振器７からの発振信号を混合して所定の中間周波の信号を発生する。
なお、発振器７が発振する発振周波数は、粗測系周波数検出回路２が検出した入力信号の粗測周波数データに基づいて周波数算出回路５が制御する。
即ち、周波数算出回路５は、ミキサ５が発生する中間周波の信号が所定の周波数となるように発振器７の発振周波数を制御する。
【００１４】
３は精測用フィルタバンクであり、精測用フィルタバンク３は、粗測用フィルタバンク１を構成する複数のバンドパスフィルタうちの２個分のバンドパスフィルタの通過帯域を有すると共に、中心周波数が互いに異なり、かつ、粗測用フィルタバンク１を構成するバンドパスフィルタの通過帯域より小さい通過帯域を有する複数のバンドパスフィルタを並列に配置して構成されている。
従って、精測用フィルタバンク３を構成する複数のバンドパスフィルタの中心周波数の間隔は、粗測用フィルタバンク１を構成する複数のバンドパスフィルタの中心周波数の間隔よりも狭い。
なお、図１の例では、精測用フィルタバンク３は、粗測用フィルタバンク１を構成する複数のバンドパスフィルタうちの２個分のバンドパスフィルタの通過帯域に８個のバンドパスフィルタで構成されたものが示されている。
そして、この精測用フィルタバンク３にはミキサ６で混合・生成された中間周波の信号が入力される。
なお、図２は、精測用フィルタバンク３を説明するための図であり、精測用フィルタバンク３は、粗測用フィルタバンク１を構成するバンドパスフィルタ２個分の帯域として、小型化されている。
【００１５】
４は精測系周波数検出回路であり、精測系周波数検出回路４は、精測用フィルタバンク３の複数のバンドパスフィルタをそれぞれ通過した中間周波の信号のレベル差情報に基づいて、精測用フィルタバンク３に入力された中間周波の信号の周波数を精測検出する。
周波数算出回路５は、粗測系周波数検出回路２が検出した入力信号の粗測周波数データと精測系周波数算出回路が精測検出した中間周波の信号の精測周波数データが入力され、入力された粗測周波数データと精測周波数データとに基づいて、入力信号の周波数を算出する。
【００１６】
次に、具体例を用いて本実施の形態によるチャネライズト受信装置の動作を説明する。
いま、入力信号の周波数が３５５．１２５ＭＨｚであり、粗測用フィルタバンク１を構成するバンドパスフィルタ１、バンドパスフィルタ２、・・・・バンドパスフルタ５の中心周波数を、４００ＭＨｚ、４８０ＭＨｚ、５６０ＭＨｚ、６４０ＭＨｚ、７２００ＭＨｚとする。
この場合、入力信号の周波数が３５５．１２５ＭＨｚであるのに対して、粗測用フィルタバンク１と粗測系周波数検出回路２で構成された粗測系では、例えば、３５５ＭＨｚの周波数が検出されるとする。
即ち、粗測系周波数検出回路２は、３５５．１２５ＭＨｚの入力信号の周波数を３５５ＭＨｚとして検出する。即ち、０．１２５ＭＨｚの検出誤差が生じている。
【００１７】
一方、精測用フィルタバンク３は、その通過帯域の中央部の周波数が、例えば、約５５ＭＨｚとなるように、中心周波数が１０ＭＨｚ、２０ＭＨｚ、３０ＭＨｚ、４０ＭＨｚ、５０ＭＨｚ、６０ＭＨｚ、７０ＭＨｚ、８０ＭＨｚの８個のバンドパスフィルタで構成されているとする。
ミキサ６では、周波数が３５５．１２５ＭＨｚの入力信号と発振器７の発振信号を混合して周波数５５．１２５ＭＨｚの中間周波の信号が生成される。
なお、周波数算出回路５は、周波数３５５．１２５ＭＨｚの入力信号とミキサ６から出力される信号とが混合されて、ミキサ６が周波数５５．１２５ＭＨｚの中間周波の信号を生成するように、発振器７から３００ＭＨｚの信号を出力させる。
【００１８】
精測系周波数検出回路４は、精測用フィルタバンク３を構成する複数のバンドパスフィルタをそれぞれ通過した中間周波の信号のレベル差情報に基づいて、精測用フィルタバンク３に入力された中間周波の信号の周波数を精測検出するが、精測用フィルタバンク３を構成する複数のバンドパスフィルタは、粗測用フィルタバンク１構成する複数のバンドパスフィルタよりも帯域幅および中心周波数の間隔は狭い。
従って、精測用フィルタバンク３および精測系周波数検出回路４で構成された精測系では、粗測系より精度よく周波数を検出できる。
例えば、ミキサ６によって周波数５５．１２５ＭＨｚの中間周波信号に変換された信号は、精測系周波数検出回路４で５５．１２５ＭＨｚ（あるいは、これに極めて近い周波数）が検出される。
【００１９】
周波数算出回路５では、粗測系周波数検出回路２が検出した入力信号の周波数３５５ＭＨｚと粗測系周波数検出回路２が検出した中間周波の信号の周波数５５．１２５ＭＨｚに基づいて、入力信号の周波数を３５５．１２５ＭＨｚと算出する。
つまり、周波数３５５．１２５ＭＨｚの高周波の入力信号が入力されている場合、粗測系だけでは入力信号の周波数は３５５ＭＨｚとして検出されるが、精測系で検出される中間周波の信号の検出周波数５５．１２５ＭＨｚを用いることによって、入力信号の周波数は、３５５．１２５ＭＨｚ（あるいは、これに極めて近い周波数）として、精度よく検出される。
なお、上述の説明では、精測用フィルタバンク２は、粗測用フィルタバンク１を構成する複数のバンドパスフィルタのうちの連続する２個分のバンドパスフィルタの通過帯域を有している場合について述べたが、これに限定されるものではなく、連続するＮ個（粗測用フィルタバンクを構成するバンドパスフィルタの個数＞Ｎ≧２）分のバンドパスフィルタの通過帯域幅を有していてもよい。
【００２０】
以上説明したように、本実施の形態によるチャネライズド受信装置は、中心周波数が互いに異なる複数のバンドパスフィルタで構成され、受信する高周波の入力信号を通過させる粗測用フィルタバンク１と、粗測用フィルタバンク１の複数のバンドパスフィルタをそれぞれ通過した入力信号のレベル差情報に基づいて、受信した入力信号の周波数を粗測検出する粗測系周波数検出回路２と、受信する高周波の入力信号とローカル発振器７が発振する所定周波数の信号とを混合して中間周波の信号を生成するミキサ６と、粗測用フィルタバンク１を構成する複数のバンドパスフィルタのうちの連続するＮ個（粗測用フィルタバンクを構成するバンドパスフィルタの個数＞Ｎ≧２）分のバンドパスフィルタの通過帯域幅を有すると共に、中心周波数が互いに異なり、かつ、粗測用フィルタバンク１を構成するバンドパスフィルタの通過帯域幅より小さい通過帯域幅を有する複数のバンドパスフィルタで構成され、ミキサ６で生成された中間周波の信号が入力される精測用フィルタバンク３と、精測用フィルタバンク３の複数のバンドパスフィルタをそれぞれ通過した中間周波の信号のレベル差情報に基づいて、精測用フィルタバンク３に入力された中間周波の信号の周波数を精測検出する精測系周波数検出回路４と、粗測系周波数検出回路２が検出した高周波の入力信号の粗測周波数データと精測系周波数検出回路４が検出した中間周波の信号の精測周波数データに基づいて、受信した入力信号の周波数を算出する周波数算出回路５とを備えている。
【００２１】
従って、本実施の形態によるチャャネライズド受信装置よれば、精測用フィルタバンク３は、粗測用フィルタバンク１を構成するバンドパスフィルタＮ個分だけ（好ましくは２個分だけ）の通過帯域幅を有すると共に、中心周波数が互いに異なり、かつ、粗測用フィルタバンクを構成するバンドパスフィルタの通過帯域幅より小さい通過帯域幅を有する複数のバンドパスフィルタで構成され、従来のように受信する高周波の入力信号の全帯域にわたって通過帯域幅の小さいバンドパスフィルタを多数個設ける必要がないので、装置の大型化・高価格化を抑制しながら、受信する信号の周波数算出精度を向上できる。
【００２２】
実施の形態２．
図３は、この発明の実施の形態２によるチャネライズド受信装置の構成を示すブロック図である。
図において、１はＲＦ周波数帯域の高周波信号が入力される粗測用フィルタバンクであり、この粗測用フィルタバンク１は受信する高周波入力信号の全帯域をカバーするように、中心周波数が互いに異なり、中心周波数の間隔が一定の複数個のバンドパスフィルタが並列配置されて構成されている。
図３の例でも、実施の形態１の場合と同様に、粗測用フィルタバンク１は、例えばバンドパスフィルタ１、バンドパスフィルタ２、・・・・バンドパスフィルタ５の５個のバンドパスフィルタで構成されたものが示されている。
２は粗測系周波数検出回路であり、粗測系周波数検出回路２は、粗測用フィルタバンク１の複数のバンドパスフィルタをそれぞれ通過した入力信号のレベル差情報に基づいて、受信した入力信号の周波数を粗測検出する。
粗測用フィルタバンク１および粗測系周波数検出回路２は、実施の形態１におけるものと構成・機能は基本的には同じものである。
【００２３】
３１は精測用フィルタバンクであり、精測用フィルタバンク３１は、受信する高周波の入力信号が入力され、粗測用フィルタバンク１を構成する複数のバンドパスフィルタのうちの連続するＮ個（粗測用フィルタバンクを構成するバンドパスフィルタの個数＞Ｎ≧２）分のバンドパスフィルタの通過帯域幅を有すると共に、中心周波数が互いに異なり、かつ、上記粗測用フィルタバンクを構成するバンドパスフィルタの通過帯域幅より小さい通過帯域幅を有する複数のバンドパスフィルタを並列に配置して構成されている。
従って、精測用フィルタバンク３１を構成する複数のバンドパスフィルタの中心周波数の間隔は、粗測用フィルタバンク１を構成する複数のバンドパスフィルタの中心周波数の間隔よりも狭い。
なお、精測用フィルタバンク３１は、後述する周波数算出回路５１によって、その通過帯域の中心周波数が上記粗測系周波数検出回路２で粗測検出される粗測周波数になるように制御されている。
つまり、精測用フィルタバンク３１の通過帯域の中心周波数は粗測系周波数検出回路２で粗測検出される粗測周波数に同調して変化する。
従って、受信する入力信号の周波数が変化しても、精測用フィルタバンク３１の通過帯域の中心周波数は、受信する入力信号の周波数に同調して最適な周波数に設定される。
【００２４】
４１は精測系周波数検出回路であり、精測系周波数検出回路４１は、精測用フィルタバンク３１の複数のバンドパスフィルタをそれぞれ通過した入力信号のレベル差情報に基づいて、精測用フィルタバンク３１に入力された入力信号の周波数を精測検出する。
また、５１は周波数算出回路であって、周波数算出回路５１は、粗測系周波数検出回路２が検出した高周波の入力信号の粗測周波数データと精測系周波数検出回路４１が検出した精測周波数に基づいて、受信した入力信号の周波数を算出すると共に、精測用フィルタバンク３１は、その通過帯域の中心周波数が粗測系周波数検出回路２で粗測検出される粗測周波数になるように、周波数算出回路５１によって制御されている。
【００２５】
次に、具体例を用いて本実施の形態によるチャネライズト受信装置の動作を説明する。
いま、入力信号の周波数が３５５．１２５ＭＨｚであり、粗測用フィルタバンク１を構成するバンドパスフィルタ１、バンドパスフィルタ２、・・・・バンドパスフルタ５の中心周波数を、４００ＭＨｚ、４８０ＭＨｚ、５６０ＭＨｚ、６４０ＭＨｚ、７２００ＭＨｚとする。
そして、実施の形態１の場合と同様に、入力信号の周波数が３５５．１２５ＭＨｚであるのに対して、粗測用フィルタバンク１と粗測系周波数検出回路２で構成された粗測系では、例えば、３５５ＭＨｚの周波数が検出されるとする。
即ち、粗測系周波数検出回路２は、３５５．１２５ＭＨｚの入力信号の周波数を３５５ＭＨｚとして検出し、検出された粗測周波数データを周波数検出回路５１へ入力する。
【００２６】
一方、精測用フィルタバンク３は、前述したように、周波数検出回路５１によって通過帯域の中心周波数が粗測系周波数検出回路２で検出した粗測周波数３５５ＭＨｚとなるように（つまり、粗測系周波数検出回路２で検出した粗測周波数３５５ＭＨｚと同調するように）制御されており、例えば、中心周波数が３２０ＭＨｚ、３３０ＭＨｚ、３４０ＭＨｚ、３５０ＭＨｚ、３６０ＭＨｚ、３７０ＭＨｚ、３３０ＭＨｚ、３９０ＭＨｚの８個のバンドパスフィルタで構成されている。
精測系周波数検出回路４１は、精測用フィルタバンク３１の複数のバンドパスフィルタをそれぞれ通過した入力信号のレベル差情報に基づいて、精測用フィルタバンク３１に入力された入力信号の周波数を精測検出するが、精測用フィルタバンク３１構成する複数のバンドパスフィルタは、粗測用フィルタバンク１構成する複数のバンドパスフィルタより帯域幅および中心周波数の間隔は狭い。
従って、精測用フィルタバンク３１および精測系周波数検出回路４１で構成された精測系では、粗測系より精度よく周波数を検出できる。
【００２７】
周波数算出回路５１では、粗測系周波数検出回路２が検出した入力信号の粗測周波数データ（３５５ＭＨｚ）と精測系周波数検出回路４１が検出した入力信号の精測周波数データ（３５５．１２５ＭＨｚ）に基づいて入力信号の周波数を３５５．１２５ＭＨｚと算出する。
つまり、周波数３５５．１２５ＭＨｚの入力信号が入力されている場合、粗測系だけでは入力信号の周波数は３５５ＭＨｚとして検出されるが、精測系で検出される検出周波数を用いることによって、入力信号の周波数は、３５５．１２５ＭＨｚ（あるいは、これに極めて近い周波数）として、精度よく検出される。
なお、上述の説明では、精測用フィルタバンク３１は、粗測用フィルタバンク１を構成する複数のバンドパスフィルタのうちの連続する２個分のバンドパスフィルタの通過帯域を有している場合について述べたが、これに限定されるものではなく、連続するＮ個（粗測用フィルタバンクを構成するバンドパスフィルタの個数＞Ｎ≧２）分のバンドパスフィルタの通過帯域幅を有していてもよい。
【００２８】
以上説明したように、本実施の形態によるチャネライズド受信装置は、中心周波数が互いに異なる複数のバンドパスフィルタで構成され、受信する高周波の入力信号を通過させる粗測用フィルタバンク１と、粗測用フィルタバンク１の複数のバンドパスフィルタをそれぞれ通過した入力信号のレベル差情報に基づいて、受信した入力信号の周波数を粗測検出する粗測系周波数検出回路２と、粗測用フィルタバンク１を構成する複数のバンドパスフィルタのうちの連続するＮ個（粗測用フィルタバンクを構成するバンドパスフィルタの個数＞Ｎ≧２）分のバンドパスフィルタの通過帯域幅を有すると共に、中心周波数が互いに異なり、かつ、上記粗測用フィルタバンクを構成するバンドパスフィルタの通過帯域幅より小さい通過帯域幅を有する複数のバンドパスフィルタで構成され、高周波の入力信号が入力される精測用フィルタバンク３１と、精測用フィルタバンク３１の複数のバンドパスフィルタをそれぞれ通過した入力信号のレベル差情報に基づいて、精測用フィルタバンク３１に入力された入力信号の周波数を精測検出する精測系周波数検出回路４１と、粗測系周波数検出回路２が検出した高周波の入力信号の粗測周波数データと精測系周波数検出回路４１が検出した精測周波数データに基づいて、受信した入力信号の周波数を算出する周波数算出回路５１とを備え、精測用フィルタバンク３１は、周波数算出回路５１によって、その通過帯域の中心周波数が粗測系周波数検出回路２で粗測検出される粗測周波数になるように制御されている。
【００２９】
従って、本実施の形態によるチャャネライズド受信装置よれば、精測用フィルタバンク３１は、粗測用フィルタバンク１を構成するバンドパスフィルタＮ個分だけ（好ましくは２個分だけ）の通過帯域幅を有すると共に、中心周波数が互いに異なり、かつ、粗測用フィルタバンクを構成するバンドパスフィルタの通過帯域幅より小さい通過帯域幅を有する複数のバンドパスフィルタで構成され、従来のように受信する高周波の入力信号の全帯域にわたって通過帯域幅の小さいバンドパスフィルタを多数個設ける必要がないので、実施の形態１の場合と同様に、装置の大型化・高価格化を抑制しながら、受信する信号の周波数算出精度を向上できる。
更に、周波数算出回路５１によって精測用フィルタバンク３１の通過帯域の中心周波数が粗測系周波数検出回路２で粗測検出される粗測周波数になるように制御されているので、入力信号の周波数が変化しても、常に最適な状態で受信する信号の周波数を精度よく算出できる。
【産業上の利用可能性】
【００３０】
この発明は、装置の大型化・高価格化を抑制しながら、受信する信号の周波数算出精度を向上できるチャネライズド受信装置の実現に有用である。
【図面の簡単な説明】
【００３１】
【図１】実施の形態1によるチャネライズド受信装置の構成を示すブロック図である。
【図２】精測用フィルタバンクを説明するための図である。
【図３】実施の形態２によるチャネライズド受信装置の構成を示すブロック図である。
【図４】従来のチャネライズド受信装置の構成を概念的に示したブロック図である。
【図５】従来のチャネライズド受信装置における周波数算出回路の動作を説明するための図である。
【図６】従来のチャネライズド方式の受信装置において周波数算出精度の向上を図る方法とその問題点を説明するための図である。
【符号の説明】
【００３２】
１  粗測用フィルタバンク            ２  粗測系周波数検出かいろ
３、３１  精測用フィルタバンク
４、４１  精測系周波数検出回路
５  周波数算出回路                  ６  ミキサ
７  発振器      
【図１】
2006180325.tif 000003
【図２】
2006180325.tif 000004
【図３】
2006180325.tif 000005
【図４】
2006180325.tif 000006
【図５】
2006180325.tif 000007
【図６】
2006180325.tif 000008